(57)【要約】【課題】冷却用ファン等を用いることなく、ケース内エアーを介して発熱部品を効率良く冷却すること。【解決手段】遊技機用モジュールは、ケース３５内に、発熱部品３６を有するモジュール本体を収容した遊技機用モジュールであって、ケース３５の下端部に形成されケース３５内に常温エアーを供給する吸気口６１と、ケース３５の上端部に形成されケース３５内の昇温エアーを外部に排気する排気口６４と、ケース３５内を、一端部を吸気口６１に連通し他端部を排気口６４ａに連通すると共に発熱部品３６が臨む通気空間７３と、通気空間７３以外の非通気空間７４とに仕切る複数の仕切り壁７１と、を備えた。【選択図】図５
2008188125.tif 000002
【特許請求の範囲】
【請求項１】
発熱部品を有するモジュール本体と、前記モジュール本体を収容するケースとを有する遊技機用モジュールであって、
前記ケースの下端部に形成され前記ケース内に常温エアーを供給する吸気口と、
前記ケースの上端部に形成され前記ケース内の昇温エアーを外部に排気する排気口と、
前記ケース内を、一端部を吸気口に連通し他端部を前記排気口に連通すると共に前記発熱部品が臨む通気空間と、前記通気空間以外の非通気空間とに仕切る複数の仕切り壁と、を備えたことを特徴とする遊技機用モジュール。
【請求項２】
前記各仕切り壁は、上下方向に延在していることを特徴とする請求項１に記載の遊技機用モジュール。
【請求項３】
前記通気空間は、上部に対し下部が拡開形状に形成されていることを特徴とする請求項１または２に記載の遊技機用モジュール。
【請求項４】
前記モジュール本体は、前記発熱部品を実装すると共に前記ケース内を上下方向に延在する回路基板を有しており、
前記複数の仕切り壁は、前記回路基板と、前記回路基板が対面する前記ケースの１の壁面と、前記回路基板および前記１の壁面との間に介設した２枚の隔壁部材と、により構成されていることを特徴とする請求項１ないし３のいずれかに記載の遊技機用モジュール。
【請求項５】
前記排気口に臨み、前記通気空間を延長するように前記ケースの外面に突設した通気延長部を、更に備えたことを特徴とする請求項１ないし４のいずれかに記載の遊技機用モジュール。
【請求項６】
前記遊技機用モジュールが、遊技機用表示機であることを特徴とする請求項１ないし５のいずれかに記載の遊技機用モジュール。
【請求項７】
請求項６に記載の前記遊技機用モジュールを備えたことを特徴とする遊技機。
【発明の詳細な説明】
【技術分野】
【０００１】
本発明は、発熱部品を有するモジュール本体をケースに収容した遊技機用モジュールおよびこれを用いた遊技機に関するものである。
【背景技術】
【０００２】
近年、多くのパチンコ機等の遊技機には、液晶ディスプレイの表示装置（遊技機用表示機）が組み込まれており、この表示装置の背面には、ディスプレイの表示制御回路等の多くの電子回路が配設された基板がケースに収容され、ユニット（モジュール）化されている。これら電子回路は、グラフィック処理などの高速処理により発熱を伴うため、従来では、電子回路等の発熱部品を冷却するために、ユニット内に冷却用ファンを備えたものが知られている（特許文献１参照）。この表示装置は、冷却用ファンにより、吸気口からケース内部に吸気された外気を排気口から排気して、ケース内の発熱部品を冷却している。
【特許文献１】特開２００６−０３４７７６号公報
【発明の開示】
【発明が解決しようとする課題】
【０００３】
しかしながら、従来の表示装置では、ケース内部の冷却のために冷却用ファンを取り付けるようにしているため、コスト高になると共に、冷却用ファンを取り付けた分、表示装置が大型化する問題がある。一方、冷却用ファンを用いずに自然換気によりケース内部を冷却した場合には、発熱部品により昇温されたエアーがケース内の広い空間から狭い排気口空間を通過すると共に新鮮なエアーが外部の広い空間から狭い吸気口空間を通過することになるため、流路抵抗が大きくなり、ケース内部のエアーを効率良く換気することができず、発熱部品を効率良く冷却することができない問題がある。
【０００４】
本発明は、冷却用ファン等を用いることなく、ケース内のエアーを介して発熱部品を効率良く冷却することができる遊技機用モジュールおよびこれを用いた遊技機を提供することを目的とする。
【課題を解決するための手段】
【０００５】
本発明の遊技機用モジュールは、発熱部品を有するモジュール本体と、前記モジュール本体を収容するケースとを有する遊技機用モジュールであって、ケースの下端部に形成されケース内に常温エアーを供給する吸気口と、ケースの上端部に形成されケース内の昇温エアーを外部に排気する排気口と、ケース内を、一端部を吸気口に連通し他端部を排気口に連通すると共に発熱部品が臨む通気空間と、通気空間以外の非通気空間とに仕切る複数の仕切り壁と、を備えたことを特徴とする。
【０００６】
この構成によれば、発熱部品により昇温された昇温エアーを仕切り壁により、直接排気口に導くことができ、かつ、これに伴って外部の常温エアーを通気空間に流入させることができる。仕切り壁に囲まれた通気空間は、昇温エアーの上昇を促進するため、ケースからの排気とケースへの吸気とが円滑に行われ、昇温エアーを効率良く廃熱することができる。そして、これに接する発熱部品を適切かつ効率良く冷却することができる。また、冷却用ファンが不要であるため、部品点数を削減でき、コストを削減することができる。
【０００７】
この場合、各仕切り壁は、上下方向に延在していることが好ましい。
【０００８】
この構成によれば、通気空間の下から上に向けて、発熱部品を冷却したエアーを円滑に導くことができる。
【０００９】
これらの場合、通気空間は、上部に対し下部が拡開形状に形成されていることが好ましい。
【００１０】
この構成によれば、下部から上部に向かって通気空間内のエアーの流速を速くすることができるので（いわゆるエントツ効果）、発熱部品周辺の昇温エアーをより効率良く廃熱し、これに接する発熱部品をより効率良く冷却することができる。なお、通気空間は、ケースの幅方向および奥行き方向のいずれにも拡幅形成することが好ましい。
【００１１】
これらの場合、モジュール本体は、発熱部品を実装すると共にケース内を上下方向に延在する回路基板を有しており、複数の仕切り壁は、回路基板と、回路基板が対面するケースの１の壁面と、回路基板および１の壁面との間に介設した２枚の隔壁部材と、により構成されていることが好ましい。
【００１２】
この構成によれば、既存の部材を通気空間の構成部材に用いることができるので、構造を単純化でき、コストを抑制することができる。なお、２枚の隔壁部材は、回路基板またはケースのいずれに設けてもよいが、特に、ケースに隔壁部材を設けた場合には、ケースと一体成形することができるので、簡単に構成することができる。
【００１３】
これらの場合、排気口に臨み、通気空間を延長するようにケースの外面に突設した通気延長部を、更に備えたことが好ましい。
【００１４】
この構成によれば、通気空間が実質的に上下に長くなるため、より一層上下方向のエアーの流れが促進され、廃熱効率を高めることができる。
【００１５】
これらの場合、遊技機用モジュールが、遊技機用表示機であることが好ましい。
【００１６】
この構成によれば、特に高速処理を行うパワーＩＣ等の発熱部品を搭載した遊技機用表示機等に有用である。
【００１７】
本発明の遊技機は、上記した遊技機用モジュールを備えたことを特徴とする。
【００１８】
この構成によれば、遊技機用モジュールの冷却を単純な構成で行うことができ、全体としてコストを削減することができる。
【発明を実施するための最良の形態】
【００１９】
以下、添付の図面を参照して、本実施形態に係る遊技機用モジュールおよびこれを用いた遊技機について説明する。本実施形態に係る遊技機は、グラフィック表示のための遊技機用表示機（遊技機用モジュール）を備えたものであり、遊技機用表示機におけるケース内部の換気を部分的に促進し、発熱部品により昇温されたエアーを外部に廃熱するものである。なお、本実施形態では、遊技機としてパチンコ機を例に挙げて説明する。また、本実施形態において、「前」、「後」、「左」、「右」、「上」、「下」は、パチンコ機で遊技を行う遊技者から見た方向に従う。
【００２０】
図１および図２は、本実施形態に係るパチンコ機１０の表裏両側からそれぞれ見た外観斜視図である。両図に示すように、パチンコ機１０は、枠状の筐体１１と、筐体１１に組み込まれた遊技機本体２０と、を備えている。
【００２１】
筐体１１の前面左部には、ヒンジ１２が設けられ、このヒンジ１２を介して遊技機本体２０が前方に開き戸形式で引き出されるようになっている。そして、遊技機本体２０の裏面には、遊技機用表示機３０が着脱自在に取り付けられている。また、筐体１１の上部裏面側には切欠き部１３が形成され、この切欠き部１３には、後述するように下側から遊技球の受け皿４１が臨んでいる。
【００２２】
遊技機本体２０は、前面に広く設けた遊技盤２１と、遊技盤２１の前面を覆う透光板を有する前扉２２と、前面右下部に設けられ、遊技球の発射操作を行うためのハンドル２３と、遊技盤２１の下側に配設した遊技球を貯めるための上皿２４と、上皿２４の下方に配設した下皿２５と、を備えている。
【００２３】
遊技盤２１は、ハンドル２３から打ち出された遊技球を導くガイドレール２６によって囲まれた遊技領域Ａを有し、この遊技領域Ａ内には、遊技球の軌道を変更させる複数の遊技釘２７と、遊技球が入賞すると下皿２５に所定数の遊技球を払い出させる複数の入賞口２８と、遊技球が入ると使用済み遊技球として処理されるアウト口２９が設けられている。また、遊技盤２１の中央部には開口が形成され、この開口には裏側から遊技機用表示機３０の液晶ディスプレイ３１が臨んでいる（詳細は後述する）。また、前扉２２は、遊技盤２１に対し開閉自在に設けられており、前扉２２を開放することにより、遊技盤２１の盤面のメンテナンス等を行うことが可能になっている。
【００２４】
遊技機本体２０の裏面側には、遊技盤２１の裏面の位置に、外部の遊技球供給装置（図示省略）から供給される遊技球を自機に導入する導入ユニット４０と、導入ユニット４０の下方に配置した遊技機用表示機３０と、が配設されている。
【００２５】
導入ユニット４０は、上記の切欠き部１３の下部に配設される受け皿４１と、受け皿４１から供給された遊技球を上皿２４および下皿２５に選択的に供給する払出し装置４３と、受け皿４１と払出し装置４３とを接続する遊技球供給通路４２と、払出し装置４３と上皿２４および下皿２５とを接続する遊技球分岐通路４４と、で構成されている。遊技球供給通路４２は、プラスチック等の樹脂性材料で形成されており、払出し装置４３に向かって遊技球が転動するように図２に示す矢印Ｃ方向に下り傾斜に形成されている。
【００２６】
受け皿４１は、その底部が、左部に設けた供給口４１ａに向かって所定の下り勾配を有している。そして、供給口４１ａに遊技球供給通路４２が接続されている。遊技球供給通路４２は、例えば、円筒や角筒のパイプ形状に形成されており（図示のものは角パイプ状）、受け皿４１に供給された遊技球は、遊技球供給通路４２内を転動して払出し装置４３に流れ、払出し装置４３から上皿２４および下皿２５に選択的に供給される。したがって、パチンコ機１０が使用されている状態では、遊技球供給通路４２内を遊技球が流れる（転動する）こととなる。
【００２７】
図２ないし図４に示すように、遊技盤２１に裏側から臨む遊技機用表示機３０は、表側の液晶ディスプレイ３１と、液晶ディスプレイ３１の裏面に添設したバックライト３２と、液晶ディスプレイ３１の表示を制御する表示制御回路やバックライトの駆動を制御する駆動制御回路等の複数の電子回路３３を組み込んだ回路基板３４と、これらを収容するケース３５と、から成り、これらが一体にモジュール（ユニット）化されている。
【００２８】
液晶ディスプレイ３１およびバックライト３２は、ケース３５の表側の空間に組み込まれて、回路基板３４は、ケース３５の裏側の空間に組み込まれている。液晶ディスプレイ３１には、表示制御回路の制御により、抽選結果などの遊技に関連した画像が表示される。バックライト３２は、蛍光管および反射板（図示省略）を有し、駆動制御回路の蛍光管への電圧印加により、蛍光管の生じた放電光を反射板に反射させて液晶ディスプレイ３１側に射出する。
【００２９】
電子回路３３は、入賞口２８に落入した際の抽選を行う制御回路、液晶ディスプレイ３１に抽選結果などの遊技に関連する画像を表示制御し、グラフィック処理等の高速演算処理を行う表示制御回路およびバックライトを駆動制御する駆動制御回路等で構成され、これらが回路基板３４に実装されている。そして、回路基板３４上には、グラフィック処理等に供されるパワートランジスタ等の複数の発熱部品３６が組み込まれている（図４参照）。
【００３０】
図３に示すように、ケース３５は、天板５１、底板５２、両側板５３および裏板５４により方形箱状に形成されており、前面開放部分には液晶ディスプレイ３１が嵌め込まれている。天板５１の上面には左右一対の掛止部５５が設けられる一方、底板５２の下面には左右一対の固定金具５６が設けられ、一対の掛止部５５を遊技機本体２０の一対のフック（図示省略）に掛止し、かつ一対の固定金具５６で遊技機本体２０に締結することにより、ケース３５が遊技機本体２０に固定されている。底板５２、両側板５３および裏板５４は、透明な樹脂性材料で形成され、ケース３５の内部が外部から視認可能に構成されている。
【００３１】
図４および図５に示すように、ケース３５の裏板５４と回路基板３４との間の間隙には、裏板５４、回路基板３４および左右２枚の隔壁部材７２をそれぞれ仕切り壁７１として、上記複数の発熱部品３６が臨む通気空間７３が構成されている。すなわち、ケース３５内は、通気空間７３と、通気空間７３以外の非通気空間７４とに仕切られている。２枚の隔壁部材７２の間隙は、上部が幅狭のストレート形状に形成され、下部がロート状の拡開形状に形成され、通気空間７３は上部の幅狭部７５と下部の拡開部７６とで構成されている。実施形態のものでは、発熱部品３６が、幅狭部７５に配設されているが、拡開部７６に配設されていてもよい。２枚の隔壁部材７２の上端は、天板５１の下面に当接し、下端は回路基板３４の下端と同位置に配設されている。そして、回路基板３４の上端と天板５１との間には、サブ隔壁部材７７が設けられている。すなわち、両隔壁部材７２、７２間に位置する回路基板３４の一部、両隔壁部材７２、７２間に位置する裏板５４の一部およびサブ隔壁部材７７により、複数の発熱部品３６に臨む通気空間７３が構成されている。この場合、隔壁部材７２は、裏板５４と一体に成形され、またサブ隔壁部材７７は、天板５１と一体に成形されることが好ましい。
【００３２】
ケース３５の底板５２には、ガラリ状の５つ（複数）の底板主吸気口６１と、スリット状の２つ（複数）の底板副吸気口６２と、がそれぞれ横並びに形成され、またケース３５の裏板５４の下部には、スリット状の２つ（複数）の裏板吸気口６３が形成されている。底板主吸気口６１のうちの中間に位置する４つの中間部吸気口６１ａと、底板副吸気口６２と、裏板吸気口６３とは、通気空間７３の拡開部７６に連通している。また、底板主吸気口６１の外側に位置する２つの外側吸気口６１ｂは、上記の非通気空間７４に連通している。
【００３３】
一方、天板５１には、ガラリ状の４つ（複数）の天板排気口６４が形成されており、そのうちの中間に位置する中間部排気口６４ａが、通気空間７３の幅狭部７５に連通している。また、天板排気口６４のうちの外側に位置する外側排気口６４ｂは、非通気空間７４に連通している。なお、各底板主吸気口６１、各底板副吸気口６２および各裏板吸気口６３を複数の小孔で形成してもよい。
【００３４】
また、ケース３５の天板５１には、上記中間部排気口６４ａに臨むと共に、通気空間７３を延長するように、すなわち、両隔壁部材７２、７２、裏板５４およびサブ隔壁部材７７を天板５１上に延長するように、略方形形状の通気延長部７８が突設して形成されている（図３および図４参照）。この場合、通気延長部７８は、天板５１と一体に成形されていることが好ましい。
【００３５】
図５に示すように、発熱部品３６により昇温された通気空間７３のエアーは、軽くなって上昇してゆき、中間部排気口６４ａおよび通気延長部７８を通過して外部に排気される。一方、この排気された分のエアーは、中間部吸気口６１ａ、底板副吸気口６２および裏板吸気口６３から通気空間７３内に流入する。この場合、通気空間７３は、拡開部７６と幅狭部７５とから成り、上部にゆくに従って断面積が小さくなる。このため、通気空間７３内のエアーは上にゆくに従って、流速を増し、円滑に排気される。すなわち、通気空間７３内のエアーの換気が促進される。したがって、ケース３５内の昇温エアーを効率良く廃熱することができ、ひいては発熱部品３６を効率良く冷却することができる。
【００３６】
なお、本実施形態では、拡開部７６を回路基板３４の位置から底板５２まで延長するようにしてもよい。かかる場合に、拡開部７６を、ケース３５の奥行き方向に拡幅形成することが好ましい。また、通気空間７３内の幅狭部７５において、上部にゆくにしたがってより狭小になるように形成してもよい。
【００３７】
また、本実施形態では、パチンコ機１０を例に説明をしたが、これに限定されるものではなく、発熱部品３６を有する遊技機用表示機３０を備えたスロット機やゲーム機等のアミューズメント機であれば、本発明を適用することができる。
【図面の簡単な説明】
【００３８】
【図１】本発明の実施形態に係るパチンコ機を前面側から見た外観斜視図である。
【図２】本実施形態に係るパチンコ機を後面側から見た外観斜視図である。
【図３】（ａ）は遊技機用表示機の前面側の外観斜視図であり、（ｂ）は遊技機用表示機の後面側の外観斜視図である。
【図４】本実施形態に係る遊技機用表示機を側面から見た断面図である。
【図５】本実施形態に係る遊技機用表示機の廃熱構造を説明するための模式図である。
【符号の説明】
【００３９】
１０…遊技機  ３０…遊技機用表示機  ３４…回路基板  ３５…ケース  ３６…発熱部品  ６１…底板主吸気口  ６２…底板副吸気口  ６３…裏板吸気口  ６４…天板排気口  ７１…仕切り壁  ７２…隔壁部材  ７３…通気空間  ７４…非通気空間  ７８…通気延長部
【図１】
2008188125.tif 000003
【図２】
2008188125.tif 000004
【図３】
2008188125.tif 000005
【図４】
2008188125.tif 000006
【図５】
2008188125.tif 000007